(57)【要約】【解決課題】  人に対し安全性が認められた薬剤を用いてバイオセーフティキャビネット内部を除染するための装置及び方法を提供すること。【解決手段】バイオセーフティキャビネットの内部を除染するための装置であって、  超音波振動により過酢酸除菌剤を霧化して液滴を放出する超音波霧化器と、  拡散用ファンと、  循環用ファンと、  温湿度センサーと、  制御器と、を備える、当該除染装置。【選択図】なし【特許請求の範囲】
【請求項１】
バイオセーフティキャビネットの内部を除染するための装置であって、
超音波振動により過酢酸除菌剤を霧化して液滴を放出する超音波霧化器と、
拡散用ファンと、
循環用ファンと、
温湿度センサーと、
制御器と、
を備える、当該除染装置。
【請求項２】
過酢酸除菌剤が、過酢酸、過酸化水素、酢酸及び水の混合液である、請求項１に記載の除染装置。
【請求項３】
前記制御器が除染時間自動計算機能を備えている、請求項１又は２に記載の除染装置。
【請求項４】
前記制御器が、除染するバイオセーフティキャビネットの内部の温度と湿度のみで除染時間を算出する除染時間自動計算機能を備えている、請求項１〜３のいずれか１項に記載の除染装置。
【請求項５】
バイオセーフティキャビネットの内部を除染する方法であって、
バイオセーフティキャビネットのワークエリア内に超音波振動により過酢酸除菌剤を霧化して液滴を放出する超音波霧化器、拡散用ファン、温湿度センサー及び循環用ファンを設置する工程、
当該超音波霧化器を作動させて超音波により過酢酸除菌剤を霧化することにより液滴を放出させ、当該液滴をガス化させる工程、及び
ガス化した過酢酸（過酢酸ガス）を前記バイオセーフティキャビネットの内部で循環させる工程、
を含む、当該方法。
【請求項６】
循環用ファンにより過酢酸ガスをバイオセーフティキャビネットの内部で循環させる、請求項５に記載の方法。
【請求項７】
バイオセーフティキャビネットの内部で循環させる過酢酸ガスの一部を外部に排気する、請求項５又は６に記載の方法。
【請求項８】
循環用ファンを稼働させてワークエリアからダクト内、循環用ＨＥＰＡフィルター、ワークエリアに至る空気の循環を発生させる、及び一部の空気を排気用ＨＥＰＡフィルターを通り外部に排気させることにより、過酢酸ガスをバイオセーフティキャビネットの内部で循環及び一部を外部に排気させる、請求項６又は７に記載の方法。
【請求項９】
拡散用ファンにより過酢酸除菌剤の液滴のガス化を促がす、請求項５〜８のいずれか１項に記載の方法。
【請求項１０】
ワークエリア内の湿度を８５〜９０％で制御する、請求項５〜９のいずれか１項に記載の方法。
【発明の詳細な説明】
【技術分野】
【０００１】
本発明は、人に対し安全性が認められた薬剤を用いてバイオセーフティキャビネット内部を除染するための装置及び方法に関わる。
【背景技術】
【０００２】
人に感染するウイルス、細菌を取り扱う場合は、世界保健機関（ＷＨＯ）実験室バイオセーフティ指針に基づいて、その危険度によりバイオセーフティ（ＢＳ）レベル１、ＢＳレベル２、ＢＳレベル３、ＢＳレベル４に分類され定められた封じ込めの環境内で取り扱うことが規定されている。更に、ＢＳレベル２はエアロゾルがある場合、又ＢＳレベル３、ＢＳレベル４に関してはレベルに合ったバイオセーフティキャビネット（以下「ＢＳＣ」とも言う）内で操作しなくてはならない。
【０００３】
また、遺伝子組み換え生物を扱う場合も、バイオセーフティに関するカルタヘナ議定書（生物の多様性に関する条約）が発効したのに伴い、封じ込めのためＢＳＣ内で取り扱うことが規定されている。
【０００４】
更に、ＢＳＣを継続的に安全に使用するためにＢＳＣの定期的なメンテナンスが求められている。そして、メンテナンスを行う前に、作業者の感染防止及び有害な微生物の暴露防止を目的として、ＢＳＣ内部の除染を行わなければならない。
【０００５】
上記に加えて、ＪＩＳ  Ｋ  ３８００：２００９により、以下の場合には、ＢＳＣ内部の除染を実施することが規定されている。
ａ）定期検査・保守点検の前
ｂ）ＨＥＰＡフィルタ交換前
ｃ）キャビネットの移動前
ｄ）内部が大量汚染された場合
ｅ）使用目的が変更された場合
ｆ）その他必要な場合
ここで、ＢＳＣの除染範囲は、ワークリア内、循環空気用ＨＥＰＡフィルター、排気用ＨＥＰＡフィルター、及びそれらのＨＥＰＡフィルターに通じるダクト内である。（以下「ＢＳＣ内部」とも言う。）
【０００６】
ＢＳＣ内部の除染には、ＢＳＣが使われるようになった１９３９年から、長年にわたってホルマリン燻蒸が用いられてきた（非特許文献１）。
ホルマリン燻蒸は、厳密な養生の中、少量のパラホルムアルデヒドと水を加熱して燻蒸するという手順で行われる。また、時々、ＢＳＣのファンを稼働させてホルマリンをＢＳＣ内部に充満させる。その状態で約１日放置後、中和作業、排気作業を行う。
更に、その後、パラホルムアルデヒドの結晶が白い粉としてＢＳＣ内部の表面に付着すると、結晶にも毒性、腐食性があるため水拭き作業を数回繰り返す必要がある。これらの除染作業は約２日間要することになる。
【０００７】
ＢＳＣ内部のホルマリン燻蒸は、７０年以上にわたって今日まで使われている。しかしながら、ホルマリン燻蒸においては、ホルムアルデヒドを含有した蒸気が発生し、この蒸気は人体に有害であり、毒劇法で医薬用外劇物に指定されている。また、ホルムアルデヒドは、２０１２年化管法において、特定第一種指定化学物質（発ガン性物質）に特定されている。また、同年、ＷＨＯにおいて、当該物質は白血病．リンパ腫の原因物質として特定されている。このように人に対して有害である検証が国際的に行われ各国の規制が高まっており、ホルマリン燻蒸に代わる除染方法が求められている。
【０００８】
代替除染法として、二酸化塩素ガスと過酸化水素蒸気を用いる方法が開発されている。
しかしながら、二酸化塩素ガスも毒性が強く、管理基準値は０．１ｐｐｍとホルマリンの管理基準値０．７５ｐｐｍよりも厳しい値である。ホルマリンと同様に厳密な養生が必要であり、チオ硫酸ナトリウムによる中和作業、排気作業を要する。また、装置の費用は、一般に５０万円〜１０００万円と高額である。
【０００９】
また、過酸化水素蒸気を用いる方法では、約３５％過酸化水素溶液を沸騰させて蒸気を発生させる。過酸化水素蒸気の毒性は強く、厳密な養生を必要とし、管理基準値は１．０ｐｐｍとされている。過酸化水素はヒトへの発がん性がほぼないと言われておりＩＡＲＣ，ＮＴＰ，ＯＳＨＡの発がん性物質にリストされていないが、ＡＣＧＩＨ（非特許文献２）のカテゴリーにおいてＡ３（「ヒトへの発がん症例は確認されていないが、実験動物への発がん性が確証している物質」）に分類されている。また、装置の費用は、一般に４００万円〜１０００万円と高額である。
【００１０】
このようにホルマリン燻蒸の代替法は、安全面及びコスト面での課題が多く、依然としてホルマリン燻蒸が主流である。
【先行技術文献】
【非特許文献】
【００１１】
【非特許文献１】“A Discussion of Biological Safety Cabinet Decontamination Methods: Formaldehyde, Chlorine Dioxide, and Vapor Phase Hydrogen Peroxide”, ABSAorg. Vol.16, No.1, 2011
【非特許文献２】THE AMERICAN CONFERENCE OF GOVERNMENTAL INDUSTRIAL HYGIENISTS
【発明の概要】
【発明が解決しようとする課題】
【００１２】
本発明は、人に対し安全性が認められた薬剤を用いてバイオセーフティキャビネット内部を除染するための装置及び方法を提供することを目的とする。
【課題を解決するための手段】
【００１３】
上記の従来技術の問題に鑑み、本発明者らは鋭意検討したところ、超音波により過酢酸除菌剤を霧化すると直径が極めて小さい液滴（ドライフォグ）を発生させることができ、この液滴を更にガス化させ、ガス化した過酢酸をバイオセーフティキャビネット内部に循環及び一部を外部に排気させることにより、ＢＳＣ内部を効率的に除染できることを見出し、本発明を完成するに至った。
【００１４】
即ち、本発明は、
［１］バイオセーフティキャビネットの内部を除染するための装置であって、
超音波振動により過酢酸除菌剤を霧化して液滴を放出する超音波霧化器と、
拡散用ファンと、
循環用ファンと、
温湿度センサーと、
制御器と、
を備える、当該除染装置。
［２］過酢酸除菌剤が、過酢酸、過酸化水素、酢酸及び水の混合液である、［１］に記載の除染装置。
［３］前記制御器が除染時間自動計算機能を備えている、［１］又は［２］に記載の除染装置。
［４］前記制御器が、除染するバイオセーフティキャビネットの内部の温度と湿度のみで除染時間を算出する除染時間自動計算機能を備えている、［１］〜［３］のいずれか１項に記載の除染装置。
［５］バイオセーフティキャビネットの内部を除染する方法であって、
バイオセーフティキャビネットのワークエリア内に超音波振動により過酢酸除菌剤を霧化して液滴を放出する超音波霧化器、拡散用ファン、温湿度センサー及び循環用ファンを設置する工程、
当該超音波霧化器を作動させて超音波により過酢酸除菌剤を霧化することにより液滴を放出させ、当該液滴をガス化させる工程、及び
ガス化した過酢酸（過酢酸ガス）を前記バイオセーフティキャビネットの内部で循環させる工程、
を含む、当該方法。
［６］循環用ファンにより過酢酸ガスをバイオセーフティキャビネットの内部で循環させる、［５］に記載の方法。
［７］バイオセーフティキャビネットの内部で循環させる過酢酸ガスの一部を外部に排気する、［５］又は［６］に記載の方法。
［８］循環用ファンを稼働させてワークエリアからダクト内、循環用ＨＥＰＡフィルター、ワークエリアに至る空気の循環を発生させる、及び一部の空気を排気用ＨＥＰＡフィルターを通り外部に排気させることにより、過酢酸ガスをバイオセーフティキャビネットの内部で循環及び一部を外部に排気させる、［６］又は［７］に記載の方法。
［９］拡散用ファンにより過酢酸除菌剤の液滴のガス化を促がす、［５］〜［８］のいずれか１項に記載の方法。
［１０］ワークエリア内の湿度を８５〜９０％で制御する、［５］〜［９］のいずれか１項に記載の方法。
を、提供するものである。
【発明の効果】
【００１５】
本発明の除染装置及び除染方法においては、超音波により過酢酸除菌剤を霧化し更にガス化させて、ガス化した過酢酸をバイオセーフティキャビネット内部に循環及び一部を外部に排気させることにより、ワークリア内、循環空気用ＨＥＰＡフィルター、排気用ＨＥＰＡフィルター、及びそれらのＨＥＰＡフィルターに通じるダクト内を効率的に除染することができる。
また、本発明の除染装置及び除染方法においては、ガス化した過酢酸を用いることにより、腐食しやすい金属表面に酸化皮膜を形成することから、ＢＳＣ内部において腐食しやすい金属を使用していても腐食を抑えつつ除染することが可能である。
【図面の簡単な説明】
【００１６】
【図１】本発明の除染装置及び除染方法で用いることができるアルゴリズムの一例
【図２】本発明の除染装置及びこれを用いた除染方法の非限定的な例
【図３】実施例１の除染試験でのワークエリア内と排気用ＨＥＰＡフィルター外部の温度と湿度の変化
【発明を実施するための形態】
【００１７】
本明細書において、「バイオセーフティキャビネット」（ＢＳＣ）とは、ドラフトチャンバーにＨＥＰＡフィルターが取付けられた構造を有し、有害な微生物を封じ込め安全に取り扱うための装置をいい、安全キャビネット、バイオハザード対策キャビネットも「バイオセーフティキャビネット」に含まれる。
バイオセーフティキャビネットは、取り扱う微生物のリスクによってクラスＩ、クラスＩＩ、クラスＩＩＩの３つのタイプに分類される。本発明における除染対象であるバイオセーフティキャビネットは、クラスＩＩのタイプである。
【００１８】
本明細書において、「バイオセーフティキャビネットの内部」とは、ワークエリア内、循環用ＨＥＰＡフィルター、排気用ＨＥＰＡフィルター、及びそれらのＨＥＰＡフィルターに通じるダクト内を意味する。
【００１９】
本発明の一つの実施態様は、バイオセーフティキャビネットの内部を除染するための装置であって、超音波振動により過酢酸除菌剤を霧化して液滴を放出する超音波霧化器、拡散用ファン、循環用ファン、温湿度センサー及び制御器を備える、当該除染装置である。
【００２０】
本発明に用いられる超音波霧化器は、霧化用振動子を振動させて、この超音波により液体を霧化することができる。
ここで用いられる霧化用振動子は、好適には、圧電セラミックスからなる圧電素子、及び当該圧電素子のうち、液体に対向する液体対向面を含む被着面を被覆した絶縁樹脂膜とを有しており、液体対向面が液体に対向して、絶縁樹脂膜が液体に接する形態に配置されている。また、絶縁樹脂膜は、モノマーを、圧電素子の被着面に堆積させつつ、互いに重合させて樹脂化した、厚み５〜２０μｍのパラキシリレン系ポリマーからなることが好ましい。
【００２１】
また、本発明で用いられる超音波霧化器としては、圧電素子が、好ましくは板状であり、第１主面、第２主面及びこれらの間を結ぶ側面を有する圧電セラミックス板と、第１主面上に拡がる第１電極層であって、側面を経由して第２主面にまで延びる第１電極層と、第２主面において、第１電極層と離間しつつ、この第２主面上に拡がり、第１主面上の第１電極層と圧電セラミックス板を介して対向する第２電極層と、を有し、絶縁樹脂膜は、第１主面、側面及びこれらに形成された第１電極層がなす被着面を被覆してなり、第１主面を液体に向けて、圧電素子を配置する構成を有するのが好ましい。
【００２２】
また、圧電セラミックス板は、第１電極層と第２電極層との間に、周波数１〜５ＭＨｚの電気信号を加えたとき、厚み方向に共振する寸法にされてなる霧化用振動子とするのが好ましい。
【００２３】
このような超音波霧化器は、特開２０１１−３６７７１号公報に詳細に記載されており、同文献の記載内容は、参照により本発明の範囲に取り込むことができる。
【００２４】
本発明における超音波霧化器は、制御器に接続されており、制御器の制御によって作動及び停止する。
本発明における超音波霧化器は、薬剤量が不足すると低水位表示で、霧化を中断すると同時に除染時間中ならカウントダウンが停止するように設計するのが好ましい。また、薬剤を補給されてもホーズ状態にあり、すぐに霧化をしない設計にするとより安全である。霧化後、再び設定湿度に達してから再び除染時間のカウントダウンを行う。
本発明における超音波霧化器は、好ましくは、温度、湿度のロガー機能を有し、例えば１分ごとに自動で記録する。ログの記録は、１回の除染ごとに１ファイルのＣＳＶ形式で保存することができる。
【００２５】
本発明で用いられる過酢酸除菌剤は、好ましくは、過酢酸、過酸化水素、酢酸及び水の混合液からなる。
本発明における過酢酸除菌剤においては、過酢酸の含有量は０．０１〜１．２重量％、過酸化水素の含有量は０．０６〜４．８重量％、酢酸の含有量は０．０２〜６．０重量％、残部は水、であることが好ましい。
本発明において用いることができる過酢酸除菌剤としては、例えば、ＭＡＲＣＯＲ社から市販されているアクトリル（登録商標）、ミンケア（登録商標）、その他の過酢酸系薬剤などがある。
【００２６】
本発明においては、前記した超音波霧化器において霧化用振動子を振動させて、この超音波により過酢酸除菌剤を霧化することにより直径が極めて小さい（ミクロンサイズの）液滴を発生させることができる。この液滴の中心径は、好ましくは３〜１５μｍ、より好ましくは３〜１０μｍである。このような極めて小さい液滴はドライフォグとも呼ばれ、濡れない霧のような特性を有しているため、被除染機器を腐食により損傷させることなく効果的に除染することができる。また、この液滴は機器内を濡らすことがないので、液の拭き取りによって発生する二次汚染を防ぐことができる。
また、過酢酸は幅広い抗菌スペクトルを有することから、本発明の装置を用いることにより、従来技術である過酸化水素の蒸気による方法では短時間で滅菌することができなかった芽胞菌も短時間で死滅させることができる。
【００２７】
本発明の除染装置は、拡散用ファンを備えている。拡散用ファンは、ファンモーターを有しており、モーターの動力により回転する。拡散用ファンは、超音波霧化器に接続できる。拡散用ファンはＢＳＣ内部の除菌剤粒子の分布を均一にする。また、本発明の除染装置においては、過酢酸除菌剤の液滴（ドライフォグ）を拡散用ファンで拡散することにより過酢酸除菌剤のガス化を促すことができる。過酢酸除菌剤の液滴を効率的にガス化させるには、拡散用ファンを超音波霧化器のノズル周辺に設置することが好ましい。拡散用ファンを設置するノズルからの距離は拡散用ファンの出力により適宜定められるが、例えばノズルから１０ｃｍ以内に設置するのが好ましい。
本発明の除染装置においては、過酢酸除菌剤の液滴をガス化することにより、過酢酸ガスでＨＥＰＡフィルター内も効率的に除染することができ、また、フリーラジカルを発生させ除染効果を相乗的に高めることができる。
【００２８】
本発明の除染装置は、循環用ファンを備えている。循環用ファンは、ファンモーターを有しており、モーターの動力により回転する。循環用ファンは、ワークエリア内で発生させた過酢酸ガスをバイオセーフティキャビネットの内部で循環及び一部を外部に排気させることができる。具体的には、循環用ファンを稼働させて、ワークエリアからダクト内、循環用ＨＥＰＡフィルター、ワークエリアに至る空気の循環及び一部は排気用ＨＥＰＡフィルターを通り外部に排気する空気を発生させ、これにより過酢酸ガスをバイオセーフティキャビネットの内部で循環及び一部を外部に排気させることができる。
【００２９】
本発明の除染装置は、触媒ファンを備えることができる。触媒ファンは、除染後ＢＳＣ内の過酸化水素濃度を短時間で分解したい時に使用する。触媒ファンは、ファンモーターと触媒を有しており、モーターの動力により回転し外気を効率よく触媒の中を通過させ過酸化水素を分解する。
【００３０】
本発明の除染装置は、温湿度センサーを備えている。温湿度センサーは、制御器に接続されており、測定した温度、湿度の検出値を制御器に伝達する。伝達した検出値はリアルタイムで制御器に表示され、尚且つ１分ごとに記録を自動で取ることができる。とった記録（ログ）は、ＣＳＶファイルで制御器のＵＳＢメモリに記録され、外部コンピューターにデーターを移動し、確認することができる。また、温湿度センサーは校正対応で信頼性を保持することができる。本発明において、除染時に温湿度センサーをＢＳＣの内部、通常はワークエリア内の適宜な場所に温湿度センサーを配置することができる。
【００３１】
本発明の除染装置は、制御器を備えている。本発明における制御器は、超音波霧化器、拡散用ファン、温湿度センサー、及び場合により触媒ファンと電気的に接続されている。制御器は、超音波霧化器の動作を開始させて、拡散用ファンによる送風を開始し、独立で稼働する循環用ファンによる送風を用いて除染処理を行う。この除染処理の実行中、制御器は、温湿度センサーによって検出されるワークエリア内の湿度が、予め設定された湿度に維持されるように温湿度センサーの検出値に基づいて超音波霧化器を作動又は停止させる。必要に応じ、除染が終了すると、触媒ファンが作動し、ＢＳＣ内の過酸化水素を分解する。
【００３２】
本発明の制御器は除染時間自動計算機能を備えることができる。即ち、除染処理開始前に、温湿度センサーにより被除染装置の内部の温度を測定して、その温度における飽和蒸気量を算出する。次に、被除染装置内の湿度を測定する。この湿度の測定値と前記で求めた飽和蒸気量から、被除染装置内にある水蒸気量を算出する。これにより、被除染装置内にどの程度の量の過酢酸除菌剤の液滴を噴霧できるかを算出することができる。更に、ここで算出した過酢酸除菌剤の噴霧量から、予め設定したワークエリア内で保つべき所定の湿度に達してから終了するまでの除染時間を数多くの除染条件試験結果に照らし合わせて完成したアルゴリズムから割り出すことができる。本発明の制御器が有することができる除染時間自動計算機能で用いることができるアルゴリズムの一例を図１に示す。
本発明の除染装置は、このような除染時間自動計算機能を有することにより、除菌剤を過剰に噴霧する必要がなく、また、被除染機器の内部の温度と湿度のみで除染時間を割り出すことができるため、誰が使っても除染のミスがなく安定な除染レベルを提供することができる。
【００３３】
本発明における制御器においては、手動で設定湿度、湿度維持時間、触媒ファン作動時間を入力することができ、除染処理ができるマニュアルモード、予め設定している数値を３種類まで記録できるメモリモード、温湿度センサーを設置するだけで、何も設定しないで使用できるオートモード、セットした除菌剤が使い切るまで除染を続ける連続モードを使用することができる。
【００３４】
本発明の除染装置は、超音波霧化器、温湿度センサー、拡散用ファン及び、場合により触媒ファンが、各々制御器に電気的に接続されている構成にすることができる。
【００３５】
本発明の除染装置は、温湿度センサー、拡散用ファン及び触媒ファンから選択される１以上が超音波霧化器に備え付けられてこれらが一体化した装置と制御器を備える構成とすることもできる。この場合、一体化した装置と制御器は電気的に接続することができる。あるいは、制御器による無線通信で当該一体化した装置を制御することもできる。
【００３６】
本発明のもう１つの実施態様は、バイオセーフティキャビネットの内部を除染する方法であって、
バイオセーフティキャビネットのワークエリア内に超音波振動により過酢酸除菌剤を霧化して液滴を放出する超音波霧化器、拡散用ファン、温湿度センサー及び循環用ファンを設置する工程、
当該超音波霧化器を作動させて超音波により過酢酸除菌剤を霧化することにより液滴を放出させ、当該液滴をガス化させる工程、及び
ガス化した過酢酸（過酢酸ガス）を前記バイオセーフティキャビネットの内部で循環及び一部を外部に排気させる工程、
を含む、当該方法である。
【００３７】
本発明の方法は、人に対し安全性が認められた過酢酸除菌剤を用いてＢＳＣ内部を除染するものであり、更に過酢酸除菌剤をガス化させるため、刺激性はない。
【００３８】
本発明の除染装置及びこれを用いた除染方法の非限定的な例を図１に示す。
【００３９】
本発明の除染方法において、ＢＳＣのワークエリア内に超音波式霧化器、拡散用ファン、温湿度センサー、及び循環用ファンを設置する。この時、作業面近くのＢＳＣ循環用通風口は養生テープ等を用いて目張りを行うのが好ましい。
目張りをした手前のＢＳＣ循環用通風口の好ましくは２か所を開け、循環用ファンを２か所両サイドから約５〜１０ｃｍ程度の位置に下向きに固定する。ワークエリア手前のガラス面を閉め、養生テープ等を用いて上下、左右の隙間を目張りを行うのが好ましい。
この状態で、循環用ファン（好ましくは２台）を稼働するとワークエリア→ダクト→循環用ＨＥＰＡフィルター→ワークエリアの循環空気を生じる。このように循環用ファンで空気の循環を発生させることにより、ガス化した過酢酸除菌剤をＢＳＣ内部、即ち、ワークリアからダクト内、更に循環用ＨＥＰＡフィルターを通ってワークエリアに循環及び一部を排気用ＨＥＰＡフィルターを通り外部に排気させることができる。
【００４０】
また、排気用ＨＥＰＡフィルターの外部を養生又はダンパーを閉める。このとき完全に密閉せず、むしろエアーを少しずつリークさせるのが好ましい。目張りをする場合は１〜２ｃｍ２程度の隙間を確保するのが好ましい。このようにエアーをリークさせることにより、ガス化した過酢酸除菌剤の一部を、排気用ＨＥＰＡフィルターを通してＢＳＣの外部（図１において、ダンパー又は養生の外）に排気することができる。過酢酸ガスをＢＳＣの外部に全く排気しない場合、ワークエリア内は８０％程度の湿度に短時間で到達してしまうため過酢酸除菌剤が新たに霧化できなくなる。また、仮に霧化したとしても酢酸と酸素に分解してしまう。過酢酸ガスの一部をＢＳＣ外部に排気させることで、過酢酸除菌剤の霧化を継続的に行うことができ、除染効果を高めることができる。
また、過酢酸ガスをＢＳＣ外部に排気すると室内にガスが漏れてしまうが、過酢酸ガスは刺激性がないため人が作業できる環境である。
【００４１】
超音波式霧化器に使用する過酢酸除菌剤の使用量は、間口１．３ｍのＢＳＣの場合では、通常５００ｍｌ（有効使用量：４５０ｍｌ）、間口１．８ｍのＢＳＣの場合では、通常６５０ｍｌ（有効使用量：６００ｍｌ）とするのが好ましい。
【００４２】
次に、超音波式霧化器、拡散用ファン、温湿度センサー、制御器を稼働させる。
超音波により噴霧される霧の粒径は１０μｍ以下、好ましくは５μｍ以下に制御する。粒径が１０μｍ以下の液滴は、ドライフォグと呼ばれ触っても形状が安定してそのまま跳ね返る、すなわち濡れない霧である。
【００４３】
本発明の方法においては、好ましくは拡散用ファンを用いて過酢酸除菌剤の液滴（ドライフォグ）のガス化を促がす。過酢酸除菌剤の液滴を効率的にガス化させるには、拡散用ファンを超音波霧化器のノズル周辺に設置することが好ましい。拡散用ファンを設置するノズルからの距離は拡散用ファンの出力により適宜定められるが、例えばノズルから１０ｃｍ以内に設置するのが好ましい。
【００４４】
本発明の除染方法においては、過酢酸除菌剤の液滴をガス化することにより、過酢酸ガスでＨＥＰＡフィルター内も効率的に通過しながら除染することができ、また、フリーラジカルを発生させ除染効果を相乗的に高めることができる。
また、過酢酸除菌剤は、腐食性が強いため腐食しやすい金属（鉄、銅など）には使用することができなかったが、本発明の方法においては、過酢酸除菌剤をガス化することにより腐食しやすい金属表面に酸化皮膜（鉄では酸化皮膜、銅では緑青皮膜）を形成し、酸化皮膜は腐食を防ぐ効果がある。従って、本発明の方法では、ＢＳＣ内部の部品等で腐食しやすい金属を使用していても腐食を抑えつつ除染することが可能である。（但し、コンセント、センサー表面などは事前の養生が好ましい。）
【００４５】
拡散用ファンにより速やかにガス化した過酢酸除菌剤は、循環ファンの気流にのってワークリア→ダクト→循環用ＨＥＰＡフィルター→ワークエリアを循環する。また、ワークエリア内が弱陰圧になり外気が少量入ることと、ガス化することで増加した蒸気分は、排気用ＨＥＰＡフィルターを通過し排気される。
このようにして、本発明の方法では、ワークエリア内、ダクト内、循環用ＨＥＰＡフィルター内、排気用ＨＥＰＡフィルター内（即ち、ＢＳＣ内部）を過酢酸ガスが通過し、除染を行うことができる。
【００４６】
このような状態で、５００ｍｌ（デットボリュームを除くと約４５０ｍｌ）分がガス化するまでＢＳＣ内部の除染を続ける。
ここで、過酢酸除菌剤の液滴をガス化させ続けてＢＳＣ内部の湿度が１００％に近づくと、ミスト状態になり更に結露する。過酢酸除菌剤のガスが結露すると凝縮し無駄に消費されることになり、また、ミスト状態ではＨＥＰＡフィルターにトラップされてしまいＢＳＣ内部全体に行き渡らない状態になる。従って、本発明の方法においては、ＢＳＣ内部、典型的にはワークエリア内の湿度を８５〜９０％に制御することが好ましい。
また、温度差も大きいと結露の原因となる。コントロールする湿度は多少の温度差及び除染効果を考慮して設定するのが好ましい。
【００４７】
除染対象のＢＳＣは、長年使用した場合が多くＨＥＰＡフィルターの目詰まり度や、置かれた環境によりＨＥＰＡフィルター内部の湿気量が異なる。これらの要因により、過酢酸除菌剤５００ｍｌ（有効使用量：４５０ｍｌ）をガス化させるまでに要する時間は異なるが、一般的には２４時間±４時間程度である。
【００４８】
湿度センサーについては、通常のセンサーは過酢酸ガスの中での使用を想定していないため耐久性がなく値のドリフト及び破壊がおこる。そこで、適切なセンサー素子の表面処理法の確認と過酢酸ガスの特性を考慮した回路の設計をすることで過酢酸ガスの中で耐久性を発揮する湿度センサー及び回路を用いるのが好ましい。
【００４９】
本発明の除染方法においては、制御器は前記した除染時間自動計算機能を備えることができる。詳細については、本発明の除染装置における説明及び図１を参照のこと。
【００５０】
除染効果は、バイオロジカルインジケーター（以下「ＢＩ」とも言う）を、ワークエリア、ダクト内及び排気用ＨＥＰＡフィルターの外側（ダンパー又は養生の内側）に設置して確認する。具体的には、ＢＩには死滅しにくいと言われる芽胞菌をグラシン紙などの中に濾紙に絡まさせて生きた状態で入れ、除染後、これを専用培地で培養し、培地の色の変色で除染されたかを確認する。ここで、ＢＳＣ内部のワークエリア内、ダクト内に置いたＢＩは死滅し易いが、ＨＥＰＡフィルターの除染を確認するためには、一番条件が悪い排気用ＨＥＰＡフィルターの外部のＢＩが死滅することを除染効果の指標とするのが適切である。
【００５１】
本発明の方法においては、除染が終了した後、中和作業、排気作業を特段行う必要はない。ホルマリン燻蒸、二酸化塩素ガス、過酸化水素蒸気による除染中は安全のため部屋の入室もできないが、本発明の方法では、多少の酢酸臭はあるが問題なく他の作業が出来ることも大きな利点である。
【実施例】
【００５２】
以下、本発明を、実施例を用いて更に詳述するが、本発明の範囲はこれに限定されるものではない。
【００５３】
［実施例１］
本発明の除染装置（超音波振動により過酢酸除菌剤を霧化して液滴を放出する超音波霧化器、拡散用ファン、循環用ファン、温湿度センサー及び制御器を備える除染装置）を用いて、過酢酸除菌剤（アクトリル）を４５０ｍｌガス化してＢＳＣの除染を行った。
【００５４】
使用したＢＳＣは、バイオハザードキャビネット  ＭＨＥ−１３２ＡＪ（ＳＡＮＹＯ）である。
指標菌（ＢＩ）は、ＢＩ１０＾６（ＥＴＩＧＡＭ  ＥＳ  ｓｐｏｒｅｓｔｒｉｐｓ（Ｌｏｔ＃：ＧＳＴ−４３６））であり、培地はＴＳＢ培地（ＳｐｏｒＶＩＥＷ  Ｃｕｌｔｕｒｅ  Ｍｅｄｉａ（Ｌｏｔ＃：１３２９７））を用いた。
ＢＩを排気用ＨＥＰＡフィルター外部（２ｃｍ２のリーク口を設けながら目張りした排気口の内側）の四隅、及び中央の計５ヶ所に設置した。
【００５５】
除染試験前の初期の温度及び湿度は以下のとおりである。
初期温度
ワークエリア内：２４．９℃
排気用ＨＥＰＡフィルター外部：２４．５℃
初期湿度
ワークエリア内：６２％
排気用ＨＥＰＡフィルター外部：６６％
ワークエリア内の設定湿度を８５％とし、過酢酸除菌剤４５０ｍｌがガス化するまで２８時間除染を行った。除染試験中のワークエリア内と排気用ＨＥＰＡフィルター外部の温度と湿度の変化を図３に示す。
【００５６】
除染後専用培地によりＢＩを７日間培養し確定判定を行った。その結果は以下の表１の通りである。
【００５７】
【表１】
2016022144.tif 000002
【００５８】
表１に示すように、本発明の装置及び除染方法により、ＢＳＣ内部を有効に除染できることが示される。
【図１】
2016022144.tif 000003
【図２】
2016022144.tif 000004
【図３】
2016022144.tif 000005
【手続補正書】
【提出日】平成27年6月16日(2015.6.16)
【手続補正１】
【補正対象書類名】明細書
【補正対象項目名】００５７
【補正方法】変更
【補正の内容】
【００５７】
【表１】
2016022144.tif 000006